(57)【要約】  ティルティングパッド軸受（７）において、スリーブ（１５）と、複数のティルティングパッド（９）と、フレーム（８）とを有しており、前記フレーム（８）内に前記複数のティルティングパッド（９）が受けられている。【選択図】  図１
2019525102.tif 000002
【特許請求の範囲】
【請求項１】
ティルティングパッド軸受（７）において、
スリーブ（１５）と、
複数のティルティングパッド（９）と、
フレーム（８）と、
を有しており、前記フレーム（８）内に前記複数のティルティングパッド（９）が受けられている、
ティルティングパッド軸受。
【請求項２】
前記スリーブ（１５）の内側と、対応配設された前記ティルティングパッド（９）との間に、それぞれ１つのばね部材（１８）が設けられており、前記ばね部材（１８）が前記フレーム（８）に接続されているかまたは個別の構成部分として前記スリーブ（５）の内側と前記フレーム（８）との間に配置されている、請求項１記載のティルティングパッド軸受。
【請求項３】
前記フレーム（８）が、対応配設された前記ティルティングパッド（９）を前記フレーム（８）内で保持するために少なくとも１つの保持区分（１３）を有しており、この場合、前記それぞれのティルティングパッド（９）は、前記ティルティングパッド（９）の周方向での傾倒を許容するために、前記ティルティングパッド（９）が半径方向および好適には追加的に周方向で遊びを有するように、少なくとも１つの保持区分（１３）によって前記フレーム（８）内で保持される、請求項１または２記載のティルティングパッド軸受。
【請求項４】
前記フレーム（８）が、対応配設された前記ティルティングパッド（９）を保持するために少なくとも２つの保持区分（１３）を有しており、この場合、少なくとも２つの前記保持区分（１３）は、前記ティルティングパッド（９）の互いに向き合う側に設けられていて、前記ティルティングパッド（９）を把持しており、この場合、前記それぞれのティルティングパッド（９）は、前記ティルティングパッド（９）の周方向での傾倒を許容するために、前記ティルティングパッド（９）が半径方向および好適には追加的に周方向で遊びを有するように、少なくとも２つの前記保持区分（１３）によって前記フレーム（８）内で保持される、請求項１から３までのいずれか１項記載のティルティングパッド軸受。
【請求項５】
前記ティルティングパッド（９）が、前記それぞれの保持区分（１３）によって後ろから係止させるかまたはひっかけて固定させるために、切欠（２６）、特に段部を有している、請求項３または４記載のティルティングパッド軸受。
【請求項６】
前記ティルティングパッド（９）が凹部（２８）、特に溝状の凹部を有しており、この凹部内に、対応配設された前記保持区分（１３）の少なくとも１つの区分が受け入れ可能であり、かつ前記ティルティングパッド（９）が遊びなしでまたは所定の遊び内で前記ティルティングパッド軸受（７）の軸方向に可動であるようにガイド可能である、請求項３から５までのいずれか１項記載のティルティングパッド軸受。
【請求項７】
前記ティルティングパッド（９）が、対応配設された前記保持区分（１３）のための少なくとも１つのスリット（２９）を有していて、該スリット（９）内に前記保持区分（１３）の外側端部が差し込まれるようになっている、請求項３から６までのいずれか１項記載のティルティングパッド軸受。
【請求項８】
前記ティルティングパッド軸受（７）が、前記それぞれのばね部材（１８）のばねプリロードを調節するための調節装置（１９）を有しており、この場合、ばねプリロードを調節するための前記調節装置（１９）が、対応配設された前記ティルティングパッド（９）または対応配設された前記ばね部材（１８）に接続されている、請求項１から７までのいずれか１項記載のティルティングパッド軸受。
【請求項９】
前記フレーム（８）が２つのリング状の区分（１０，１１）を有していて、これらの区分（１０，１１）が少なくとも接続区分（１２）を介して互いに接続されており、前記それぞれの接続区分（１２）が対応配設されたティルティングパッド（９）に向き合っている、請求項１から８までのいずれか１項記載のティルティングパッド軸受。
【請求項１０】
前記フレーム（８）の前記２つのリング状の区分（１０，１１）が、少なくとも１つの追加的な接続ウエブによって互いに接続されている、請求項９記載のティルティングパッド軸受。
【請求項１１】
前記保持区分（１３）および／または前記ばね部材（１８）が対応配設された前記接続区分（１２）に形成されており、この場合、前記保持区分（１３）および／または前記ばね部材（１８）が特に一体的に前記接続区分（１２）に形成されているかまたは別個の構成部分として前記接続区分（１２）に固定されている、請求項３から１０までのいずれか１項記載のティルティングパッド軸受。
【請求項１２】
前記ばね部材（１８）がそれぞれ細長いウエブとして前記接続区分（１２）の両側に形成されている、請求項９から１１までのいずれか１項記載のティルティングパッド軸受。
【請求項１３】
前記フレーム（８）が、金属薄板、プラスチックおよび／または繊維複合材料より成っていて、前記それぞれの接続区分（１２）、前記それぞれの保持区分（１３）および／または前記それぞれのばね部材（１８）が、前記フレーム（８）から打ち出し、切り抜き、フライス切削および／または成形されている、請求項１から１２までのいずれか１項記載のティルティングパッド軸受。
【発明の詳細な説明】
【技術分野】
【０００１】
本発明は、軸を軸受するためのティルティングパッド軸受に関する。
【背景技術】
【０００２】
ティルティングパッド軸受は空気軸受の一種である。
【０００３】
特許文献１によれば、開口を有するリング状の支持部分が公知であり、この開口内に軸受部材が配置されている。軸受部材はティルティングパッドとして構成されている。この場合、支持部分の開口内に保持部材が配置されていて、この保持部材はマッシュルーム形の構成を有しており、従って保持部材の範囲内に単数または複数の突起が配置されていて、これらの突起がアンダカットを形成している。これらのアンダカットは、軸受部材内に設けられた開口と協働し、この開口は同様に、保持部材のアンダカットに対応して、組み立てられた状態でアンダカットが軸受部材の適切な部分によって間隔を保って後ろから係止されるように、構成されている。軸受部材は、挿入される際に支持部分の開口内に係止され、それによって外れないように保持される。
【先行技術文献】
【特許文献】
【０００４】
【特許文献１】ドイツ連邦共和国特許公開第１０２０１００４９４９３号明細書
【発明の概要】
【０００５】
本発明は、請求項１の特徴を有するティルティングパッド軸受を開示する。
本発明によれば、ティルティングパッド軸受が設けられており、このティルティングパッド軸受は、スリーブとティルティングパッドとフレームとを有していて、該フレーム内に複数のティルティングパッドが受けられている。
【発明の効果】
【０００６】
フレームによって、ティルティングパッドは前組み立てされ、前組み立て位置でフレームによって保持され得る。これによって、製造および組み立てが簡略化され得る。また、ティルティングパッドが別のティルティングパッドセットと意図せずに取り違えられることは避けられる。さらに、ティルティングパッドは互いに予め定められた位置でフレーム内に配置されかつ保持され得る。
【０００７】
好適な実施態様は、従属請求項の対象である。
【０００８】
本発明の１実施例によれば、スリーブの内側と、対応配設されたティルティングパッドとの間に、それぞれ１つのばね部材が設けられている。この場合、ばね部材はフレームに接続されているかまたはフレーム内に組み込まれていてよい。これは、フレーム内に組み込まれたばね部材がフレームに対して規定された位置を有する、という利点を提供する。同様に、ばね部材は別個のまたはフレームとは無関係な構成部分として、スリーブの内側とフレームとの間に配置されていてよい。これは、ばね部材のためのより大きい構成自由空間が提供され得る、という利点を提供する。
【０００９】
フレームは、本発明の別の実施例では、対応配設されたティルティングパッドをフレーム内で保持するための少なくとも１つの保持区分を有している。この場合、それぞれのティルティングパッドは、ティルティングパッドの周方向での傾倒を許容するために、ティルティングパッドが半径方向でおよび選択的かつ追加的に周方向で遊びを有するように、少なくとも１つの保持区分によってフレーム内で保持され得る。このティルティングパッドの半径方向での遊びによって、スリーブとティルティングパッドとの間のギャップが調節され、ひいてはティルティングパッドとティルティングパッド軸受内に軸受しようとする軸との間のギャップが調節され得る。
【００１０】
本発明の１実施例によれば、フレームが、対応配設されたティルティングパッドを保持するために少なくとも２つの保持区分を有している。少なくとも２つの保持区分は、ティルティングパッドの互いに向き合う側に設けられていて、ティルティングパッドを側方から把持している。それぞれのティルティングパッドは、ティルティングパッドの周方向での傾倒を許容するために、ティルティングパッドが半径方向および選択的かつ追加的に周方向で遊びを有するように、少なくとも２つの保持区分によってフレーム内で保持される。
【００１１】
本発明の別の実施例では、ティルティングパッドが、それぞれの保持区分によって後ろから係止させるかまたはひっかけて固定させるために、切欠、特に段部を有している。切欠、例えばティルティングパッドの側に設けられた段部は、保持区分の外側の端部がティルティングパッドの内側を越えて突き出すことがなく、この場合、ティルティングパッドの内側と軸との間のギャップ内に突入しない、という利点を有している。
【００１２】
本発明の別の実施例では、ティルティングパッドは、凹部、例えば溝状の凹部を有しており、この凹部内に、対応配設された前記保持区分の少なくとも１つの区分が受け入れ可能であり、かつティルティングパッドが遊びなしでまたは所定の遊び内でティルティングパッド軸受の軸方向に可動であるようにガイド可能である。これによって、追加的に、ティルティングパッドがフレームから軸方向に意図せずに滑り落ちることは阻止される。
【００１３】
さらに、本発明の１実施例では、ティルティングパッドが少なくとも一方側に、対応配設された保持区分のための少なくとも１つのスリットを有していて、スリット内に保持区分の外側端部が差し込まれるようになっている。これによって、ティルティングパッドは同じく確実に保持され得る。また、スリットは、ティルティングパッドの半径方向の遊びおよび選択的かつ追加的にティルティングパッドの周方向の遊びを許容するように、構成されていてよい。
【００１４】
本発明の１実施例によれば、ティルティングパッド軸受は、それぞれのばね部材のばねプリロードを調節するための、ひいてはスリーブとティルティングパッドとの間およびティルティングパッドと軸受しようとする軸との間のギャップを調節するための調節装置を有している。ばねプリロードを調節するための調節装置は、対応配設されたティルティングパッドにも、またばねプリロードを調節するための、対応配設されたばね部材にも接続または連結された構成を有していてよい。
【００１５】
本発明の１実施例では、フレームは２つのリング状の区分を有していて、これらの区分は接続区分を介して互いに接続されている。この場合、それぞれの接続区分は、対応配設されたティルティングパッドに向き合っている。これによって、接続区分は同時に、少なくとも１つの保持区分および対応配設されたばね部材を備えることができる。特に、このような形式の、それぞれの保持区分、ばね部材および／または接続区分を備えたフレームは、非常に簡単に打ち出し、のこぎりで切り取りまたは切り抜きされ、次いで場合によっては追加的に保持区分および／またはばね部材が成形され得る。例えば保持区分は、対応配設されたティルティングパッドを受け入れかつ保持するために、相応に所望の形状に曲げられる。
【００１６】
本発明の別の実施例では、保持区分および／またはばね部材は、対応配設された接続区分に形成されている。保持区分および／またはばね部材は、例えば接続区分と一体的に形成されているか、または別個の構成部分として接続区分に固定されていてよい。
【００１７】
本発明の１実施例によれば、ばね部材はそれぞれ細長いウエブとして、接続区分の周方向で両側に形成されている。このような形式で、フレームは、ティルティングパッドを保持するためだけでなく、同時にばね部材のばねプリロードを生ぜしめるために形成されかつ使用され得る。
【００１８】
本発明の別の実施例では、フレームは、金属薄板、プラスチックおよび／または繊維複合材料より製造されていてよい。接続区分、保持区分および／またはばね部材は、例えば金属薄板の場合、フレームから打ち出し、切り抜き、またはフライス切削され、および場合によってはさらに成形されていてよい。相応のフレーム金属薄板は次いで、例えば溶接、はんだ付け、リベット留め、接着その他によって、閉じたリングに接続され得る。
【００１９】
本発明の別の実施例では、フレームの２つのリング状の区分は、少なくとも１つの追加的な接続ウエブによって互いに接続されていてよい。これによって、フレームは、接続区分に追加してさらに補強され得る。
【図面の簡単な説明】
【００２０】
【図１】本発明の１実施例によるティルティングパッド軸受の部分の斜視図である。
【図２】軸がティルティングパッド軸受内に受けられている、図１に示した本発明によるティルティングパッド軸受の別の斜視図である。
【図３】図１および図２に示した本発明によるティルティングパッド軸受の概略的な正面図であり、この場合、ティルティングパッド軸受の上側のシートおよび緩衝シートが示されている。
【発明を実施するための形態】
【００２１】
本発明のその他の特徴および利点を、以下に図面を用いて説明する。
【００２２】
本発明のティルティングパッド軸受によれば、ティルティングパッド軸受の製造複雑性を低減することができる。さらに、選択的な組み立てコンセプトによって組み立ては簡略化され、さらに、ティルティングパッド軸受によって軸受しようとする軸の位置決め可能性が、以下に図１、図２および図３を用いて詳しく説明されているように、改善される。
【００２３】
図１および図２には、本発明によるティルティングパッド軸受７の１実施例が示されている。この場合、図１は、本発明によるティルティングパッド軸受７の部分の斜視図を示し、図２は図１によるティルティングパッド軸受７の別の斜視図を示す。
【００２４】
本発明によるティルティングパッド軸受７ではフレーム８が使用される。
【００２５】
この場合、フレーム８は、ティルティングパッド軸受７のティルティングパッド９を保持し、かつ特に予め定められたまたは所定の位置で保持するように構成されている。この場合、フレーム８は、リング状に構成されていて、図１および図２に示された実施例では、例えば２つのリング状の区分１０，１１を有していて、これらの区分１０，１１は、それぞれ複数の接続区分１２を介して互いに接続されている。この場合、それぞれの接続区分１２は、フレーム８内で受けようとする、対応配設されたティルティングパッド９に向き合って位置している。
【００２６】
それぞれのティルティングパッド９を保持するために、フレーム８はそれぞれ少なくとも１つの保持区分１３を有しており、この保持区分１３は、１実施例を用いて以下でさらに詳しく説明される。この場合、ティルティングパッド９のための少なくとも１つの保持区分１３は、例えばフレーム８の接続区分１２に接続されている。図１および図２には、ティルティングパッド９のうちの１つを保持するための保持区分１３だけが完全に示されている。図１および図２ではその他の保持区分１３は、見やすさの理由により部分的にだけ示されている。
【００２７】
この場合、図１および図２では、フレーム８内に受けられたティルティングパッド９が示されている。この場合、ティルティングパッド９は、図１および図２の実施例では、例えばそれぞれ２つの保持区分１３によって、ティルティングパッド９の、円周方向で向き合う２つの側で保持される。ティルティングパッド９は、フレーム８によって前組み立て位置で保持される。ティルティングパッド９は、フレーム８およびそのそれぞれの保持区分１３によって、前組み立て位置で保持され得る。
【００２８】
それぞれのティルティングパッド９は、図１乃至図４に示された実施例では、アーチ状に構成されていて、アーチ状の外側範囲とアーチ状の内側範囲とを有している。この場合、アーチ状の外側範囲はその初期位置で、円形のフレームよりも強く曲げられているので、ティルティングパッド９の外側縁部３１はフレーム８の内側範囲に当接するのではなく、図１で最もよく分かるように、このフレーム８の内側範囲から間隔を保っている。従って、ティルティングパッド８を保持するために保持区分１３は、２つのリング状の区分１０，１１および対応配設された接続区分１２と面一に延在しているのではなく、内方に傾いて延在している。これは、保持区分１３によって追加的なばね作用が提供されるという利点を有している。しかしながら、基本的に、それぞれのティルティングパッド９のアーチ状の外側範囲は、この外側範囲がフレーム８の内側範囲に当接するように曲げられているかまたは湾曲されていてもよい。この場合、例えばティルティングパッド９の外側曲率半径は、フレーム８の曲率半径と同じであるかまたはより正確にはフレーム８の内側曲率半径と同じであってよい。
【００２９】
さらに、スリーブ１５とそれぞれのティルティングパッド９との間にばね部材１８が設けられている。この実施例では、図１および図２に示されているように、ばね部材１８はフレーム８内に組み込まれている。
【００３０】
しかしながら基本的に、ばね部材１８は図示していない別個の構成部分として、それぞれのティルティングパッド９の領域内でスリーブ１５の内側とフレーム８の外側との間に設けられていてもよい。
【００３１】
ティルティングパッド軸受７のそれぞれのティルティングパッド９は、１実施例では図２に破線で示されているように、それぞれのティルティングパッド９の外側とスリーブ１５の内側との間のギャップ１４または対応配設されたばね部材１８の外側とスリーブ１５の内側との間のギャップを調節するために、追加的な調節装置１９を備えていてよい。この調節装置１９は、それぞれのギャップを調節するために、ばね部材１８またはティルティングパッド９と適切に連結されていてよい。この調節装置１９は、図２では著しく簡略化され、かつ単に概略的に破線で示されている。図２に示された例では、調節装置１９は、ピン部材２０およびナット２１を有している。この場合、ピン部材２０はばね部材１８に連結されている。例えば、ピン部材２０は、ばね部材１８がピン部材２０に連結可能であってピン部材２０の図示していない段部によって、ピン部材２０から不意に滑り落ちることがないように、構成されている。ピン部材２０は、スリーブ１５の貫通孔を貫通ガイドされていて、雄ねじ山区分を有しており、この雄ねじ山区分に沿ってナット２１が、ばね部材１８の外側とスリーブ１５の内側との間のギャップ、およびこれに関連したばね部材１８のばねプリロードを調節するために、スリーブ１５の外側でばね部材１８若しくはティルティングパッド９の方向にまたはその逆方向にねじ込まれる。しかしながら本発明は、調節装置のこのような特別な実施例に限定されない。ティルティングパッドの外側とスリーブの内側との間のギャップ若しくはばね部材の外側とスリーブの内側との間のギャップ、およびこれに関連した、対応配設されたばね部材のばねプリロードを調節するために適したそれぞれの調節装置が設けられてよい。調節装置がティルティングパッドに連結されている場合、ピン部材を貫通ガイドするための貫通孔は好適な形式で、ピン部材およびこのピン部材に接続されたティルティングパッドが傾倒できるように、つまり周方向で傾倒できるように構成されている。機能および使用目的に応じて、ばね部材および調節装置は基本的に省かれてもよい。
【００３２】
調節装置の図示していない選択的な実施例では、調節装置はやはり、雄ねじ山を備えたピン区分を有していてよい。このピン区分は、別個の構成部分としてティルティングパッド９に接続されていて、この場合、縦軸線を中心にして回転可能である。好適な実施例では、この場合、ピン区分は、ピン区分がその縦軸線を中心にして回転可能であって、追加的にティルティングパッド９の傾倒、特に周方向での傾倒またはティルティングパッド軸受７の縦軸線２５を中心した傾倒を許容するように、ティルティングパッド９に接続されている。この場合、ピン区分は、好適な形式でスリーブ１５の半径方向に延在しているスリーブ１５のねじ孔内に受けられていて、フレーム８の対応配設された接続区分１２内の開口を通して貫通ガイドされている。ピン区分をその軸線を中心に回転させることによって、ピン区分およびこのピン区分に接続されたティルティングパッドは上下運動し、それによって、スリーブ１５とティルティングパッド９との間、およびティルティングパッド９と軸１７との間のそれぞれのギャップ１４，１６、並びにばね部材のばねプリロードが調節され得る。
【００３３】
図示していない本発明の別の実施例では、ピン部材が、ティルティングパッド９ではなくばね部材１８に接続されていて、このばね部材１８に解除可能または解除不能に固定されている。この実施例では、スリーブ１５とティルティングパッド９との間のギャップ１４、およびティルティングパッド９と軸１７との間のギャップ１６が、ばね部材１９に接続された調節装置によって調節され、特に間接的に調節される。この場合、ピン部材は、前述のように、その雄ねじ山が前記ナットとねじ係合可能であって、スリーブ１５の貫通孔を通って貫通ガイドされるか、またはその代わりに、同様に代替案として前記されているように、スリーブ１５のねじ孔とねじ係合可能である。この場合、ピン部材は周方向でのばね部材１８の傾倒を、前述のようにティルティングパッド９におけるように許容する必要はないが、場合によっては機能および使用目的に応じて許容してよい。
【００３４】
スリーブ１５の内側とばね部材１８の外側との間の間隔の調節によって、およびそれに応じてばね部材１８のプリロードの調節によって、スリーブ１５の内側とティルティングパッド９の外側との間のギャップ高さ、およびティルティングパッド９の内側と軸１７の外側との間のギャップ高さが調節可能であり、またその逆でもある。
【００３５】
しかしながら、本発明は、スリーブ１５の内側とティルティングパッド９の外側との間のギャップ１４およびティルティングパッド９の内側と軸１７の外側との間のギャップ１６、並びにこれと関連したばね部材１８のばねプリロードを直接または間接的に調節するための調節装置１９の前記実施例に限定されない。それぞれのギャップ１４，１６およびこれと関連したばね部材１８のばねプリロードを直接または間接的に調節するためにティルティングパッド９またはばね部材１８に接続された、あらゆる形式の調節装置１９が設けられてよい。
【００３６】
図１および図２に示されているように、フレーム８はリングとして構成されており、この場合、リングは、図１および図２に示した実施例では例えば前記２つの閉じたリング状の区分１０，１１より成っていて、これらの区分１０，１１は、少なくとも接続区分１２を介して互いに接続されている。前述のように、それぞれの接続区分１２は対応配設されたティルティングパッド９に向き合って位置している。フレーム８は、ティルティングパッド軸受７の大きさに応じて、追加的な補強のために、前記接続区分１２に追加して、少なくとも１つの追加的な図示していない接続ウエブを有していてもよく、この接続ウエブは２つのリング状の区分１０，１１を互いに接続する。
【００３７】
それぞれのティルティングパッド９を保持するために、フレーム８は、前述のように、少なくとも１つの保持区分１３を有しており、この保持区分１３は、ティルティングパッド９をフレーム８内で保持しかつ位置決めするように、ティルティングパッド９と連結されている。
【００３８】
この場合、保持区分１３およびばね部材１８は、図１および図２の実施例では、フレーム８内に組み込まれていて、このフレーム８と一体的に構成されている。保持区分１３および／またはばね部材１８は、以下に詳しく説明されているように、フレーム８と一体的に構成されているかまたは別個の構成部分としてフレーム８に接続されていてよい。
【００３９】
それぞれの保持区分１３は、図１および図２の実施例では例えば、ティルティングパッド９を一方側から少なくとも部分的に把持するようにまたはティルティングパッド９に引っ掛かるように、構成されている。このために、ティルティングパッド９は追加的な切欠２６、例えば図１および図２に示されているような段部を備えており、この段部に保持区分１３がひっかけて固定されるかまたはティルティングパッドが保持区分１３によって把持され得るようになっている。前記のように、図１および図２には、図示の１つのティルティングパッド９を保持するための保持区分１３だけが完全に示されている。別の保持区分１３は、見やすくするために部分的にだけ示されている。
【００４０】
図１および図２に示された実施例では、切欠２６は、ティルティングパッド９の前側から後ろ側まで貫通して延在する段部として構成されている。これは、保持区分１３が、ティルティングパッド９の内側とティルティングパッド軸受７内で軸受しようとする軸１７の外側との間のギャップ１６内に突入しない、という利点を提供する。図１および図２に示された例えば段部の形の切欠２６は、図２に点線で示されているように、保持区分１３をティルティングパッド９にひっかけて固定させるかまたは係止させるために、追加的なアンダカット２７を選択的に備えていてよい。
【００４１】
追加的にまたは選択的に、ティルティングパッド９の側に凹部２８、図１に破線で示されているように１つの保持区分１３のための例えば溝状の凹部が設けられていてよく、この凹部内に、それぞれの保持区分１３が挿入可能、かつこの凹部内で側方にガイド可能であり、従ってそれぞれのティルティングパッド９はそれぞれの保持区分１３に対して相対的に意図せずに長手方向に移動不能であるかまたは所定の遊び内でのみ長手方向に移動可能である。ティルティングパッド９の切欠２６および／または凹部２８に追加的にまたは選択的に、ティルティングパッド９は、図１に破線で示されているように、対応配設された保持区分１３の外側端部を側方から差し込むことができる側に、少なくとも１つのスリット２９を有していてもよい。この場合、スリット２９は、ティルティングパッド９の半径方向の遊びおよび場合によっては周方向の遊びを許容するように構成されていてよい。
【００４２】
図１および図２に示された実施例では、ティルティングパッド９の両側に、ひっかけて固定させるために、係止させるためにまたはクリップ係合させるために、フレーム８のそれぞれ例えば２つの保持区分１３が設けられている。この場合、保持区分１３は、接続区分１２の両側に延在していて、対応配設されたティルティングパッド９を受けるために、接続区分１２から下方にまたは内方に例えばＣ字形に、または接続区分１２の幅に応じてＬ字形（図示せず）に折り曲げられている。
【００４３】
この場合、フレーム８は、例えば金属薄板リングとして構成されていて、この金属薄板リングに保持区分１３および／またはばね部材１８が、例えば打ち出し、のこぎりで切り取りおよび／または切り抜きによって、並びに選択的に追加的に例えば曲げ成形その他によって変形することによって、前もって形成されていてよい。同様に、保持区分１３および／またはばね部材１８を備えたフレーム８が、プラスチックおよび／若しくは繊維複合材料その他より製造されているか、またはプラスチック、金属および／若しくは繊維複合材の組み合わせから製造されていてもよい。
【００４４】
図１および図２の実施例に示されているように、フレーム８に例えば各ティルティングパッド９のためのそれぞれ１つのばね部材１８が形成されている。ばね部材１８は、図１および図２の実施例ではフレーム８と一体的に構成されている。しかしながら同様に、別個の構成部分として、例えばリベット留め、溶接、はんだ付け、接着および／または溶接等によってフレーム８に固定されていてもよい。同様に、ばね部材１８は、図示していない別個の構成部分として、スリーブ１５の内側とティルティングパッド９の外側との間に単に挿入されていてもよい。この場合、ばね部材１８は例えば追加的な開口を備えていてよく、この開口を通して例えば対応配設されたオプション的な調節装置１９のピン部材またはピン区分が単に貫通ガイドされている。ばね部材１８がフレーム８内に組み込まれている場合、ティルティングパッド軸受がこのティルティングパッド軸受またはそのばね部材のための追加的な調節装置１９を備えていれば、ばね部材１８の開口は同時に接続区分１２の開口２４であってよい。
【００４５】
ばね部材１８は例えば、フレーム８の周方向に延在する縦長の２つのウエブ３０の形状で構成されている。この場合、ウエブ３０は図１および図２の実施例では、フレーム８の接続区分１２の互いに向き合う２つの側に配置されている。この場合、ウエブ３０の長さは、例えばウエブ３０がフレーム８の取り付け位置においてスリーブ１５内で付勢されているように選択されている。スリーブ１５の内側とティルティングパッド９の外側との間のギャップ高さを調節することによって、対応配設されたばね部材１８、図１および図２の実施例では２つのウエブ３０のプリロードが調節され得る。ウエブ３０はさらに追加的に、ティルティングパッド軸受７の機能および使用目的に応じて、変形されるかまたは曲げられていてよい。この場合、本発明は、図１および図２に示されているような２つの縦長のウエブ３０を備えたばね部材１８の形状に限定されない。ばね部材１８は、ティルティングパッド軸受７に使用するために、および特に対応配設されたティルティングパッド９を付勢するために適したあらゆる形状を有していてよい。
【００４６】
図３には、図１および図２に示した本発明によるティルティングパッド軸受７の著しく簡略化した単に概略的な、縮尺に従わない正面図が示されている。この場合、ティルティングパッド軸受７は３つのティルティングパッド９を有しており、これらのティルティングパッド９はフレーム８内に受けられている。それぞれのティルティングパッド９のためのフレーム８の保持区分は、図３には見やすくするために図示されていない。この場合、フレーム８は各ティルティングパッド９のために、フレーム８と例えば一体的に構成された、対応配設されたばね部材１８を有している。
【００４７】
この場合、フレーム８は、ティルティングパッド軸受７内で受けられた軸１７を軸受するために、ティルティングパッド９と共にティルティングパッド軸受７のスリーブ１５内に受けられている。スリーブ１５の内側とそれぞれのティルティングパッド９の外側との間のギャップ１４を調節するために、およびティルティングパッド９の内側と軸１７の外側との間のギャップ１６を調節するために、各ティルティングパッド９は、例えば図１および図２に関連して既に説明されている対応配設された調節装置１９を有している。オプション的な調節装置１９は、図３では破線で示されていて、例えば図１および図２に関連して示されかつ説明された雄ねじ山を備えたピン区分と、このピン区分に所属しかつ配置された、対応する雌ねじ山を備えたナットとを有している。３つのティルティングパッド９の代わりに、本発明によるティルティングパッド軸受７は、２つだけのティルティングパッド９または３つより多くのティルティングパッド９を有していてよい。
【００４８】
本発明によるティルティングパッド軸受７のそれぞれのティルティングパッド９を、半径方向でフレーム８およびオプション的なばね部材１８並びに場合によっては設けられているオプション的な調節装置１９によって、追加的に移動させることができる可能性は、前述のように、ティルティングパッド９の外側とスリーブ１５の内側との間のギャップ１４のギャップ幾何学形状、およびティルティングパッド９の内側とティルティングパッド軸受７によって軸受された軸１７の外側との間のギャップ１６のギャップ幾何学形状が調節され得る、という利点を提供する。この可能性はさらに、例えば軸１７とティルティングパッド９との間のギャップ幾何学形状を後から調節することによって製造公差を修正することができるので、特に軸１７を半径方向で位置決めすることができる、という利点を提供する。その他の利点は、軸１７とティルティングパッド軸受７およびそのティルティングパッド９との間のギャップ幾何学形状、ひいてはティルティングパッド軸受７の支持特性のフレキシブルな影響受けやすさにある。
【００４９】
ばね部材１８を設けたことによって、バックスプリング式のティルティングパッド９が提供され得る。このようなバックスプリング式のティルティングパッド９は、特にティルティングパッド軸受７によって軸受しようとする軸１７の組み込み時および整列時に有利である。さらに、このようなバックスプリング式のティルティングパッド９は、剛性の増大のためにおよび／または運転中の減衰のためにも使用され得る。
【００５０】
例えば３つのティルティングパッド９を使用することによって、本発明によるティルティングパッド軸受７によって軸受しようとする軸１７は、中央に、特に正確に中央に整列させることができる。この場合、ティルティングパッド９のバックスプリングによって、センタリングはほぼ完全に自動的に調節される。
【００５１】
図１、図２および図３に例として記載されたフレーム８によって、ティルティングパッド軸受７のティルティングパッド９から成るティルティングパッドセットは結束され、例えば別のティルティングパッド９と取り違えられることはない。
【００５２】
さらに、ティルティングパッド９はフレーム８を介して既に組み立て位置で保持されており、これによってティルティングパッド構造群の操作および組み立ては著しく簡略化される。
【００５３】
さらに、それぞれのティルティングパッド９のためのばね部材１８はフレーム８内に組み込むことができ、それによってやはり、ティルティングパッド軸受７の操作および組み立ては著しく軽減される。
【００５４】
本発明は、好適な実施例を用いて完全に前述されているが、本発明はこの実施例に限定されるものではなく、多くの方法および形式で変更可能である。図１、図２および図３に示された実施例、特にこれらの実施例の個別の特徴は互いに組み合わせ可能である。
【符号の説明】
【００５５】
７  ティルティングパッド軸受
８  フレーム
９  ティルティングパッド
１０，１１  リング状の区分
１２  接続区分
１３  保持区分
１４  ギャップ
１５  スリーブ
１６  ギャップ
１７  軸
１８  ばね部材
１９  調節装置
２０  ピン部材
２１  ナット
２５  縦軸線
２６  切欠
２８  凹部
２９  スリット
３０  ウエブ
３１  外側縁部
【図１】
2019525102.tif 000003
【図２】
2019525102.tif 000004
【図３】
2019525102.tif 000005
【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
ティルティングパッド軸受（７）において、
スリーブ（１５）と、
複数のティルティングパッド（９）と、
フレーム（８）と、
を有しており、前記フレーム（８）内に前記複数のティルティングパッド（９）が受けられている、
ティルティングパッド軸受。
【請求項２】
前記スリーブ（１５）の内側と、対応配設された前記ティルティングパッド（９）との間に、それぞれ１つのばね部材（１８）が設けられており、前記ばね部材（１８）が前記フレーム（８）に接続されているかまたは個別の構成部分として前記スリーブ（５）の内側と前記フレーム（８）との間に配置されている、請求項１記載のティルティングパッド軸受。
【請求項３】
前記フレーム（８）が、対応配設された前記ティルティングパッド（９）を前記フレーム（８）内で保持するために少なくとも１つの保持区分（１３）を有しており、この場合、前記それぞれのティルティングパッド（９）は、前記ティルティングパッド（９）の周方向での傾倒を許容するために、前記ティルティングパッド（９）が半径方向および好適には追加的に周方向で遊びを有するように、少なくとも１つの保持区分（１３）によって前記フレーム（８）内で保持される、請求項１または２記載のティルティングパッド軸受。
【請求項４】
前記フレーム（８）が、対応配設された前記ティルティングパッド（９）を保持するために少なくとも２つの保持区分（１３）を有しており、この場合、少なくとも２つの前記保持区分（１３）は、前記ティルティングパッド（９）の互いに向き合う側に設けられていて、前記ティルティングパッド（９）を把持しており、この場合、前記それぞれのティルティングパッド（９）は、前記ティルティングパッド（９）の周方向での傾倒を許容するために、前記ティルティングパッド（９）が半径方向および好適には追加的に周方向で遊びを有するように、少なくとも２つの前記保持区分（１３）によって前記フレーム（８）内で保持される、請求項１から３までのいずれか１項記載のティルティングパッド軸受。
【請求項５】
前記ティルティングパッド（９）が、前記それぞれの保持区分（１３）によって後ろから係止させるかまたはひっかけて固定させるために、切欠（２６）を有している、請求項３または４記載のティルティングパッド軸受。
【請求項６】
前記ティルティングパッド（９）が、前記それぞれの保持区分（１３）によって後ろから係止させるかまたはひっかけて固定させるために、段部を有している、請求項３または４記載のティルティングパッド軸受。
【請求項７】
前記ティルティングパッド（９）が凹部（２８）を有しており、この凹部内に、対応配設された前記保持区分（１３）の少なくとも１つの区分が受け入れ可能であり、かつ前記ティルティングパッド（９）が遊びなしでまたは所定の遊び内で前記ティルティングパッド軸受（７）の軸方向に可動であるようにガイド可能である、請求項３から６までのいずれか１項記載のティルティングパッド軸受。
【請求項８】
前記ティルティングパッド（９）が溝状の凹部を有しており、この凹部内に、対応配設された前記保持区分（１３）の少なくとも１つの区分が受け入れ可能であり、かつ前記ティルティングパッド（９）が遊びなしでまたは所定の遊び内で前記ティルティングパッド軸受（７）の軸方向に可動であるようにガイド可能である、請求項３から６までのいずれか１項記載のティルティングパッド軸受。
【請求項９】
前記ティルティングパッド（９）が、対応配設された前記保持区分（１３）のための少なくとも１つのスリット（２９）を有していて、該スリット（９）内に前記保持区分（１３）の外側端部が差し込まれるようになっている、請求項３から８までのいずれか１項記載のティルティングパッド軸受。
【請求項１０】
前記ティルティングパッド軸受（７）が、前記それぞれのばね部材（１８）のばねプリロードを調節するための調節装置（１９）を有しており、この場合、ばねプリロードを調節するための前記調節装置（１９）が、対応配設された前記ティルティングパッド（９）または対応配設された前記ばね部材（１８）に接続されている、請求項１から９までのいずれか１項記載のティルティングパッド軸受。
【請求項１１】
前記フレーム（８）が２つのリング状の区分（１０，１１）を有していて、これらの区分（１０，１１）が少なくとも接続区分（１２）を介して互いに接続されており、前記それぞれの接続区分（１２）が対応配設されたティルティングパッド（９）に向き合っている、請求項１から１０までのいずれか１項記載のティルティングパッド軸受。
【請求項１２】
前記フレーム（８）の前記２つのリング状の区分（１０，１１）が、少なくとも１つの追加的な接続ウエブによって互いに接続されている、請求項１１記載のティルティングパッド軸受。
【請求項１３】
前記保持区分（１３）および／または前記ばね部材（１８）が対応配設された前記接続区分（１２）に形成されており、この場合、前記保持区分（１３）および／または前記ばね部材（１８）が特に一体的に前記接続区分（１２）に形成されているかまたは別個の構成部分として前記接続区分（１２）に固定されている、請求項３から１２までのいずれか１項記載のティルティングパッド軸受。
【請求項１４】
前記ばね部材（１８）がそれぞれ細長いウエブとして前記接続区分（１２）の両側に形成されている、請求項１１から１３までのいずれか１項記載のティルティングパッド軸受。
【請求項１５】
前記フレーム（８）が、金属薄板、プラスチックおよび／または繊維複合材料より成っていて、前記それぞれの接続区分（１２）、前記それぞれの保持区分（１３）および／または前記それぞれのばね部材（１８）が、前記フレーム（８）から打ち出し、切り抜き、フライス切削および／または成形されている、請求項１から１４までのいずれか１項記載のティルティングパッド軸受。
【国際調査報告】
2019525102.tif 000006
2019525102.tif 000007
2019525102.tif 000008
2019525102.tif 000009